(57)【要約】【課題】非磁性体の被加熱物を加熱する際に使用者に誤解を与えることなく、視認性と操作性をより向上した使い勝手の良い製品を提供することを目的とする。【解決手段】本体１の上面にトッププレート２を配し、本体１の内部に加熱コイル４を設け、前記トッププレート２部に前記加熱コイル４の設定状態または運転状態を点灯表示する表示部２１を設け、本体１の内部に鍋などの被加熱物の判別結果により磁性体用又は非磁性体用の高周波電力を選択して前記加熱コイル４に供給する制御部２４を設けた誘導加熱調理器において、前記表示部２１は被加熱物の判別結果が非磁性体の際には非磁性体用の高周波電力供給中を示す非磁性表示２５を点灯若しくは点滅させる。【選択図】  図４
2005005142.tif 000002
【特許請求の範囲】
【請求項１】
本体（１）の上面にトッププレート（２）を配し、本体（１）の内部に加熱コイル（４）を設け、前記トッププレート（２）部に前記加熱コイル（４）の設定状態または運転状態を点灯表示する表示部（２１）を設け、本体（１）の内部に鍋などの被加熱物の判別結果により磁性体用又は非磁性体用の高周波電力を選択して前記加熱コイル（４）に供給する制御部（２４）を設けた誘導加熱調理器において、
前記表示部（２１）は被加熱物の判別結果が非磁性体の際には非磁性体用の高周波電力供給中を示す非磁性表示（２５）を点灯若しくは点滅させることを特徴とする誘導加熱調理器。
【請求項２】
前記表示部（２１）は設定された火力設定値と被加熱物に加わる実際の火力値を表示することを特徴とする請求項１記載の誘導加熱調理器。
【請求項３】
前記トッププレート（２）部に前記加熱コイル（４）の設定状態または運転状態を点灯表示する第二の表示部（２３）を設け、前記表示部（２１）と第二の表示部（２３）の少なくともいずれかに被加熱物に加わる実際の火力値を表示し、他方に設定された火力設定値を表示することを特徴とする請求項１記載の誘導加熱調理器。
【請求項４】
前記表示部（２１）は火力値に応じて点灯の色または明るさが変化することを特徴とする請求項１乃至請求項３記載の誘導加熱調理器。
【請求項５】
前記制御部（２４）は表示の変化に応じてブザー音またはメロディーを鳴動することを特徴とする請求項１乃至請求項４記載の誘導加熱調理器。
【発明の詳細な説明】
【０００１】
【発明の属する技術分野】
本発明は、誘導加熱調理器の表示に関するものである。
【０００２】
【従来の技術】
従来のクッキングヒーターなどの誘導加熱調理器は、厨房のシステムキッチンや流し台に据え付けたり、または組み込まれて使用されるものであり、電気を熱源としたヒーターまたは誘導加熱を利用し鍋などの被加熱物を加熱するものである。
【０００３】
このような誘導加熱調理器は、主に本体の前面に火力を操作する操作ツマミを設けて設定や運転の操作を行い、本体の前面または本体の上面のトッププレート部に表示部を設けて設定状態や運転状態の表示を行っている。火力に関する表示については、一般的に運転状態においても、設定された火力設定値が表示部に表示されている。
【０００４】
しかし、誘導加熱調理器では、被加熱物の材質等によっては被加熱物に加わる実際の火力値が火力設定値と異なる場合があり、使用者は火力を容易に判断することができないことがあった。
【０００５】
尚、被加熱物に加わる実際の火力値は、被加熱物その物に加わる火力値に限らず、被加熱物その物に加わる火力に相当する値、被加熱物に供給される制御回路の電力も含むものとし、以下同様である。
【０００６】
そこで、運転状態を視覚的に容易に判断する目的としたものに以下のような例がある。
【０００７】
特許文献１に示す例は、加熱コイルへの設定電流を表示する設定電流表示部と加熱コイルの消費電流を表示する消費電流表示部を設け、設定電流と消費電流、すなわち火力設定値と消費電力（被加熱物に加わる実際の火力値）を同時に見ることを可能とし、使い易さを向上したものである。
【０００８】
特許文献２に示す例は、前記特許文献１に示した機能すなわち火力設定値と消費電力（被加熱物に加わる実際の火力値）を同時に見る機能を一つの表示装置で実現したものである。
【０００９】
【特許文献１】
実開昭６２−１４０６９３号公報
【特許文献２】
特開平５−３２６１２４号公報
【００１０】
【発明が解決しようとする課題】
近年、製品性能が向上し、アルミニウムや銅などの非磁性体の被加熱物を加熱する誘導加熱調理器が発売されおり、非磁性体の被加熱物を加熱する時には非磁性体用の高周波電力を選択して供給する方式がとられている場合があるが、火力の表示については調節された火力設定値を表示部に表示している。
【００１１】
前記した特許文献１及び特許文献２に示すような従来の誘導加熱調理器は、火力設定値と消費電力（被加熱物に加わる実際の火力値）を同時に見ることを可能としているので、この技術を非磁性体の被加熱物を加熱する誘導加熱調理器に応用すれば、使い易さを向上することができるが、このような誘導加熱調理器においても非磁性体の被加熱物を加熱する際には、被加熱物に加わる実際の火力が火力設定値よりかなり減少するため、使用者に異状ではないか等の誤解を招いてしまうという問題があった。
【００１２】
本発明は、前記課題を解決するものであり、非磁性体の被加熱物を加熱する際に使用者に誤解を与えることなく、視認性と操作性をより向上した使い勝手の良い製品を提供することを目的とする。
【００１３】
【課題を解決するための手段】
上記課題を解決するために本発明では、本体の上面にトッププレートを配し、本体の内部に加熱コイルを設け、前記トッププレート部に前記加熱コイルの設定状態または運転状態を点灯表示する表示部を設け、本体の内部に鍋などの被加熱物の判別結果により磁性体用又は非磁性体用の高周波電力を選択して前記加熱コイルに供給する制御部を設けた誘導加熱調理器において、前記表示部は被加熱物の判別結果が非磁性体の際には非磁性体用の高周波電力供給中を示す非磁性表示を点灯若しくは点滅させるものである。
【００１４】
【発明の実施の形態】
請求項１に記載の発明は、本体の上面にトッププレートを配し、本体の内部に加熱コイルを設け、前記トッププレート部に前記加熱コイルの設定状態または運転状態を点灯表示する表示部を設け、本体の内部に鍋などの被加熱物の判別結果により磁性体用又は非磁性体用の高周波電力を選択して前記加熱コイルに供給する制御部を設けた誘導加熱調理器において、前記表示部は被加熱物の判別結果が非磁性体の際には非磁性体用の高周波電力供給中を示す非磁性表示を点灯若しくは点滅させるものである。
【００１５】
これにより、非磁性体の被加熱物を加熱する際に使用者に誤解を与えることなく、視認性と操作性をより向上した使い勝手の良い製品を提供することができる。
【００１６】
請求項２に記載の発明は、請求項１記載の発明において、さらに、前記表示部は設定された火力設定値と被加熱物に加わる実際の火力値を表示するものである。
【００１７】
これにより、視認性と操作性をより向上した使い勝手の良い製品を提供することができる。
【００１８】
請求項３に記載の発明は、請求項１記載の発明において、さらに、前記トッププレート部に前記加熱コイルの設定状態または運転状態を点灯表示する第二の表示部を設け、前記表示部と第二の表示部の少なくともいずれかに被加熱物に加わる実際の火力値を表示し、他方に設定された火力設定値を表示するものである。
【００１９】
これにより、視認性と操作性をより一層向上した使い勝手の良い製品を提供することができる。
【００２０】
請求項４に記載の発明は、請求項２記載の発明において、さらに、前記表示部は火力値に応じて点灯の色または明るさが変化するもので、これにより、視認性と操作性をより一層向上した使い勝手の良い製品を提供することができる。
【００２１】
請求項５に記載の発明は、さらに、前記制御部は表示の変化に応じてブザー音またはメロディーを鳴動するもので、これにより、操作性をより一層向上した使い勝手の良い製品を提供することができる。
【００２２】
【実施例】
以下、本発明の一実施例を図面に基づいて説明する。図１は本発明の一実施例のシステムキッチン組込後の概略外観図、図２は本発明の一実施例の操作パネル部を示す図、図３は本発明の一実施例の表示部および第二の表示部の表示例１を示す図、図４は本発明の一実施例の表示部および第二の表示部の表示例２を示す図、図５は本発明の一実施例の表示部の点灯の色及び明るさと火力値との対応を示す図である。
【００２３】
図１および図２において、１は加熱調理器の本体である。２はトッププレートで、本体１の上面に配され、耐熱性の高い結晶化ガラスで構成されている。３はトッププレートカバー枠で、トッププレート２の周りに固着されている。トッププレート２とトッププレートカバー枠３の間にはシール材（図示せず）が充填され水密構造となっている。
【００２４】
また、トッププレートカバー枠３は本体１にも固定されており、製品をシステムキッチンに組み込む際は、トッププレートカバー枠３で製品を吊り上げて設置される。従って、システムキッチンの表面に出るのはトッププレート１やトッププレートカバー枠３と本体１の前面部である。
【００２５】
４の破線の円形は加熱コイルで、左右に二つあり、本体１の内部に設けられ、トッププレート２の下側にあることを示し、上方に置かれた鍋などの被加熱物を誘導加熱方式で加熱する。加熱コイル４は誘導加熱用のコイルで構成され、火力値のレベルを複数段階（本実施例では１０段階）有している。
【００２６】
５の破線の円形はニクロム線ヒーターで、ニクロムヒーター線加熱式円形ヒーターで構成され、同じく火力値のレベルを複数段階（本実施例では４段階）有している。
【００２７】
６はロースター加熱部で、本体１の左側下部に配され、魚等を焼く部分である。７は吸気口で、トッププレート２の後部右側に設けられ、本体１の内部に冷却用空気を吸引する。８は排気口で、トッププレート２の後部左側に設けられ、ロースター加熱部６からの排気、および本体１の内部を冷却した廃熱を排出する。
【００２８】
９は操作パネル部で、本体１の前面の垂直面部に配され、機器全体の電源の入り切りを行うメインスイッチ１０と、加熱コイル４、ニクロム線ヒーター５、ロースター加熱部６等の操作部分が配されている。
【００２９】
１１、１２、１３は夫々左右の加熱コイル４、ニクロム線ヒーター５に対応した操作部で、操作パネル部９内に配され、夫々左右の加熱コイル４、ニクロム線ヒーター５の通電入り切りを行うスイッチや火力の操作等を行うツマミ類で構成される。
【００３０】
１４、１５、１６は操作ツマミで、操作部１１、１２、１３内に配され、夫々左右の加熱コイル４、ニクロム線ヒーター５の火力を操作する。１７、１８、１９は通電確認ランプで、夫々操作ツマミ１４、１５、１６の近傍外周部の全部に設けられ、前記左右の加熱コイル４、ニクロム線ヒーター５の通電時に火力値のレベルに応じて点灯の色が変化する。
【００３１】
通電確認ランプ１７、１８、１９は各操作ツマミ１４、１５、１６の近傍外周部の全部でなく、各操作ツマミ１４、１５、１６の近傍外周部の一部、もしくは各操作ツマミ１４、１５、１６の全部または一部に設けてもよい。
【００３２】
尚、図２は通電確認ランプ１７、１８、１９を各操作ツマミ１４、１５、１６の近傍外周部の全部に設けた例を示している。
【００３３】
２０はロースター操作部で、操作パネル部９内に配され、ロースター加熱部６の通電入り切りや設定を行うスイッチ類で構成される。
【００３４】
２１は表示部で、左右に二つあり、トッププレート２部に設けられ、下方にバックライトを備えた液晶表示素子で構成され、左右の加熱コイル４に対応して各左右の加熱コイル４の設定状態または運転状態を点灯表示し、左右の加熱コイル４の通電時に火力値に応じて点灯の色が変化する。表示の内容についての詳細は後述する。
【００３５】
２２はヒーター用表示部で、トッププレート２前部ほぼ中央に設けられ、下方にバックライトを備えた液晶表示素子で構成され、ニクロム線ヒーター５に対応してニクロム線ヒーター５の設定状態または運転状態を点灯表示する。
【００３６】
２３は第二の表示部で、左右に二つあり、左右の加熱コイル４の手前側のトッププレート２上に設けられ、複数のバー形状のＬＥＤ等で構成され、夫々左右の加熱コイル４に対応して左右の加熱コイル４の設定状態または運転状態を点灯表示し、左右の加熱コイル４の通電時に火力値に応じて点灯するＬＥＤの数が変化する。
【００３７】
２４は制御部で、右の加熱コイル４の下方の本体１の内部に設けられ、鍋などの被加熱物の判別結果により磁性体用又は非磁性体用の高周波電力を選択して加熱コイル４に供給する。
【００３８】
図３は本発明の一実施例の代表として加熱コイル４が運転され、表示部２１および第二の表示部２３が点灯表示している一例である。
【００３９】
同図（ａ）、同図（ｃ）は、火力値がそれぞれ１０、５で加熱コイル４が運転されている場合の表示部２１の表示例を表示している。火力の状態を文字「火力」で表示すると共に、火力設定値を数字で表示し、被加熱物に加わる実際の火力値を棒グラフ状の図形で表示している。
【００４０】
尚、火力設定値を棒グラフ状の図形で表示し、被加熱物に加わる実際の火力値を数字であらわしてもよい。また、これら文字、数字、図形は図に示したものに限るものではなく、他の形態の文字、数字、図形としてもよい。
【００４１】
同図（ｂ）、同図（ｄ）は、火力値がそれぞれ１０、５で加熱コイル４が運転されている場合の第二の表示部２３の表示例を表示している。被加熱物に加わる実際の火力値をそのレベル数分のバーを点灯して表している。この第二の表示部２３の形態はバー形状に限るものではなく、円形、円弧状、その他の形状としてもよい。
【００４２】
図４は本発明の一実施例の非磁性体用の高周波電力が供給中の表示部２１および第二の表示部２３の一表示例を示し、加熱コイル４が運転されて点灯している例である。この図の構成は図３の構成とほぼ同様で、共通する部分については説明を省略する。
【００４３】
図において、２５は非磁性表示で、表示部２１内に設けられ、被加熱物の判別結果が非磁性体の際には非磁性体用の高周波電力通電中を示す。表示部２１は、被加熱物の判別結果が非磁性体の際には非磁性体用の高周波電力通電中を示す非磁性表示２５を点灯若しくは点滅させる。
【００４４】
本図においては、被加熱物が非磁性体で、加熱コイル４に高周波電力が供給中であるため、火力の状態を示す文字「火力」、火力設定値を表す数字、被加熱物に加わる実際の火力値を示す棒グラフ状の図形に加え、非磁性表示２５を示す文字「非磁性」を表示している。
【００４５】
また、同図（ａ）においては、被加熱物が非磁性体のため、被加熱物に加わる実際の火力値が火力設定値「１０」より低いレベルを示す８本の棒グラフが点灯している場合を示している。同じく、同図（ｃ）においては、火力設定値「５」に対し、４本の棒グラフが点灯している。
【００４６】
同図（ｂ）、同図（ｄ）には火力値が８、４の場合の第二の表示部２３の表示例を示している。
【００４７】
図５（ａ）は、表示部２１、通電確認ランプ１７、１８等の点灯の色すなわち色種を火力値に応じて定めたことを示した図である。火力値「１」〜「１０」に対して色１〜１０の１０種の点灯の色種を対応させている。例えば、色１は緑色、色２〜色４は緑色から徐々にオレンジ色に近づく色、色５はオレンジ色、色６〜色９はオレンジ色から徐々に赤色に近づく色、色１０は赤色として定める。これによって変化させる色の制御を明確にすることができる。
【００４８】
尚、ニクロム線ヒーター５に対応した通電確認ランプ１９やヒーター用表示部２２の点灯の色は、火力値が４段階のため４種類であり、色１〜１０の中から適宜４つを選択して定めればよい。
【００４９】
上記構成において、以下その動作と表示例を説明する。
【００５０】
（表示例１）
使用者が食材を入れた磁性体の被加熱物（図示せず）を右の加熱コイル４の上方のトッププレート２上に載せ、操作パネル部９内のメインスイッチ１０をＯＮする。続いて、操作部１２内のスイッチを操作し、操作ツマミ１５を回してレベルを１０に調節すると右の加熱コイル４が火力値１０で通電される。
【００５１】
このとき、図示しない負荷検出部、および制御部２４等によって被加熱物を磁性体と判別し、制御部２４はその判別結果により磁性体用の高周波電力を選択して右の加熱コイル４に供給する。
【００５２】
右の加熱コイル４が高周波電力の供給すなわち通電されることによって、右の加熱コイル４に対応した右の表示部２１は図３（ａ）、右の第二の表示部２３は図３（ｂ）に示すように点灯若しくは点滅表示される。右の表示部２１の点灯の色すなわち背景は色１０すなわち赤色で、文字「火力」、数字「１０」、１０本の棒グラフは黒色で表示され、右の第二の表示部２３には１０本のバーが点灯する。
【００５３】
また、同時に、操作パネル部９内の操作ツマミ１５の近傍外周部の全周に設けられた通電確認ランプ１８が色１０すなわち赤色で点灯表示される。
【００５４】
つまり、加熱コイル４が通電されると、火力設定値に応じた数字がトッププレート２上面の表示部２１に表示され、被加熱物に加わる実際の火力値に応じた棒グラフが表示部２１に表示され、且つ、被加熱物に加わる実際の火力値に応じた数のバーが第二の表示部２３に点灯表示され、さらに表示部２１および通電確認ランプ１８の点灯の色が火力値に応じて変化するので、使用者は設定した火力設定値と同時に、被加熱物に加わる実際の火力値を一目で認識することができる。
【００５５】
また、使用者が操作ツマミ１５を回して火力設定値を５に変更すると、表示部２１、第二の表示部２３においては図３（ｃ）、図３（ｄ）に示す通り、火力設定値を表す数字が「１０」から「５」に変り、被加熱物に加わる実際の火力値を表す棒グラフの数が１０本から５本に変り、バーの数も１０本から５本に変わり、表示部２１および通電確認ランプ１８の点灯の色が赤色からオレンジ色に変わる。
【００５６】
（表示例２）
表示例２は、前記表示例１と比べ、加熱対象である被加熱物が磁性体ではなく、非磁性体であることが異なっている。その他の構成は同じである。表示例１と共通する構成、動作についての説明は省略する。
【００５７】
加熱対象である被加熱物が非磁性体であるので、図示しない負荷検出部、および制御部２４等によって被加熱物を非磁性体と判別し、制御部２４はその判別結果により非磁性体用の高周波電力（通常、磁性体用の高周波電力より高周波数または高電力）を選択して右の加熱コイル４に供給する。同時に、右の表示部２１は非磁性体用の高周波電力供給中を示す非磁性表示２５すなわち文字「非磁性」を点灯若しくは点滅させる。
【００５８】
また、被加熱物が非磁性体のため、被加熱物に加わる実際の火力値は火力設定値よりかなり減少した値、例えば図４（ａ）、（ｂ）に示すように、火力設定値「１０」に対し「８」となる。すなわち、右の表示部２１における棒グラフは８本、右の第二の表示部２３におけるバーは８本が点灯表示される。
【００５９】
また、使用者が操作ツマミ１５を回して火力設定値を５に変更すると、右の表示部２１、右の第二の表示部２３においては図４（ｃ）、図４（ｄ）に示す通り、火力設定値を表す数字が「１０」から「５」に変り、被加熱物に加わる実際の火力値を表す棒グラフの数が８本から４本に変り、バーの数も８本から４本に変わる。
【００６０】
尚、以上の説明では、加熱コイル４を二つとしたが、一つ、もしくは三つ以上でも適用できるものである。
【００６１】
また、被加熱物に加わる実際の火力値を表示部２１と第二の表示部２３の二箇所で表示したが、表示部２１における表示、もしくは第二の表示部２３を削除して被加熱物に加わる実際の火力値の表示を一箇所にしてもよい。
【００６２】
また、第二の表示部２３は設定された火力設定値を表示してもよい。
【００６３】
また、表示部２１は火力値に応じて点灯の色が変化するものとしたが、図５（ｂ）に示すように、火力値と明るさを対応させて定め、火力値に応じて点灯の明るさが変化するものとしてもよい。
【００６４】
また、制御部２４は表示の変化に応じてブザー音またはメロディーを鳴動するものとしてもよい。これにより、一層使い勝手が向上する。
【００６５】
また、非磁性表示２５は文字「非磁性」としたが、これに限るものではなく、他の文字、もしくは記号、図形等でもよい。
【００６６】
【発明の効果】
以上本発明によれば、請求項１に記載の発明は、本体の上面にトッププレートを配し、本体の内部に加熱コイルを設け、前記トッププレート部に前記加熱コイルの設定状態または運転状態を点灯表示する表示部を設け、本体の内部に鍋などの被加熱物の判別結果により磁性体用又は非磁性体用の高周波電力を選択して前記加熱コイルに供給する制御部を設けた誘導加熱調理器において、前記表示部は被加熱物の判別結果が非磁性体の際には非磁性体用の高周波電力供給中を示す非磁性表示を点灯若しくは点滅させるものである。
【００６７】
これにより、非磁性体の被加熱物を加熱する際に使用者に誤解を与えることなく、視認性と操作性をより向上した使い勝手の良い製品を提供することができるという効果を奏する。
【００６８】
請求項２に記載の発明は、請求項１記載の発明において、さらに、前記表示部は設定された火力設定値と被加熱物に加わる実際の火力値を表示するものである。
【００６９】
これにより、視認性と操作性をより向上した使い勝手の良い製品を提供することができるという効果を奏する。
【００７０】
請求項３に記載の発明は、請求項１記載の発明において、さらに、前記トッププレート部に前記加熱コイルの設定状態または運転状態を点灯表示する第二の表示部を設け、前記表示部と第二の表示部の少なくともいずれかに被加熱物に加わる実際の火力値を表示し、他方に設定された火力設定値を表示するものである。
【００７１】
これにより、視認性と操作性をより一層向上した使い勝手の良い製品を提供することができるという効果を奏する。
【００７２】
請求項４に記載の発明は、請求項２記載の発明において、さらに、前記表示部は火力値に応じて点灯の色または明るさが変化するもので、これにより、視認性と操作性をより一層向上した使い勝手の良い製品を提供することができるという効果を奏する。
【００７３】
請求項５に記載の発明は、さらに、前記制御部は表示の変化に応じてブザー音またはメロディーを鳴動するもので、これにより、操作性をより一層向上した使い勝手の良い製品を提供することができるという効果を奏する。
【図面の簡単な説明】
【図１】本発明の一実施例のシステムキッチン組込後の概略外観図である。
【図２】本発明の一実施例の操作パネル部を示す図である。
【図３】本発明の一実施例の表示部および第二の表示部の表示例１を示す図である。
【図４】本発明の一実施例の表示部および第二の表示部の表示例２を示す図である。
【図５】本発明の一実施例の表示部の点灯の色及び明るさと火力値との対応を示す図である。
【符号の説明】
１  本体
２  トッププレート
４  加熱コイル
２１  表示部
２３  第二の表示部
２４  制御部
２５  非磁性表示
【図１】
2005005142.tif 000003
【図２】
2005005142.tif 000004
【図３】
2005005142.tif 000005
【図４】
2005005142.tif 000006
【図５】
2005005142.tif 000007